【事件の表示】
　特願２０１３−１６２０３７「シート処理装置及びこれを備えた画像形成システム」拒絶査定不服審判事件〔平成２７年　２月１６日出願公開、特開２０１５−　３０５９２〕について、次のとおり審決する。
【結　論】
　本件審判の請求は、成り立たない。
【理　由】
１．手続の経緯
　本件出願は、平成２５年８月５日の出願であって、平成２８年５月２７日に手続補正がされ、平成２９年４月３日付けで拒絶理由が通知され、同年６月９日に手続補正がされ、同年１１月１７日付け（発送日：同年１１月２４日）で拒絶の査定（以下「原査定」という。）がされ、平成３０年２月２１日に拒絶査定に対する審判の請求がされたものである。　
２．本願発明
　本願の請求項１に係る発明（以下「本願発明」という。）は、平成２９年６月９日に補正された、特許請求の範囲の請求項１に記載された事項によって特定されるものであり、その記載は次のとおりである。
　
　「シート束を綴じるシート処理装置であって、
　シートを搬送する搬送手段と、
　前記搬送手段により搬送方向に搬送されたシートを集積する集積手段と、
　前記装置の外部からのシート束がセットされる手差し部と、
　前記集積手段に集積されたシート束を綴じる第一の位置と、前記手差し部にセットされたシート束を綴じる第二の位置と、に移動可能に構成される綴じ手段と、
　制御手段と、
を有し、
　前記第二の位置は、前記搬送方向と直交する方向に関して、第１モードにおいて前記集積手段にシートが搬入される際の搬入エリアの外側に設定され、
　前記制御手段は、前記搬送手段によりシートを搬送する前記第１モードと、前記手差し部にセットされたシート束を前記綴じ手段により綴じさせる第２モードと、を実行可能であって、前記第１モードを実行する場合で且つ前記綴じ手段により綴じ処理を実行させない場合、前記綴じ手段を、前記搬入エリアの外側であって、前記第二の位置側に位置させることを特徴とするシート処理装置。」
３．引用文献に記載された事項
　
（１）原査定の拒絶理由おいてに引用した特開２０１３−１２６９１１号公報（以下「引用文献１」という。）には、以下の事項が記載されている。（下線は、強調のために当審で付与した。以下同じ。）
ア．「【０００１】
　本発明は、シート処理装置及び画像形成システムに係り、特に用紙、転写紙、シートなどのシート状記録媒体（以下、本明細書では、特許請求の範囲を含め「シート」と称する。）に対してオンライン綴じとマニュアル綴じを実行することができる綴じ処理機能を有する
シート処理装置
イ．「【００１４】
　図２は図１におけるシート後処理装置２０１の平面図、図３は正面図である。同図において、
シート後処理装置２０１は、シート搬送路２４０に沿って入口側から入口センサ２０２、入口ローラ２０３、分岐爪２０４、綴じ具２１０及び排紙ローラ２０５を備え
入口ローラ２０３は、
画像形成装置１０１の排紙ローラ１０２によって排紙されるシートを受け取り、ステープル装置２０２内に搬入
【００１５】
　入口ローラ２０３の後段には分岐爪２０４が配置されている。分岐爪２０４はシート後端を分岐路２４１に導くために設けられている。この場合には、シート後端が分岐爪２４１を越えた後、分岐爪２４１は図示時計回り方向に回転し、シートを搬入方向と逆の方向に搬送する。これにより、シート後端側は分岐路２４１側に導かれる。分岐爪２４１は後述するが、ソレノイドによって駆動され、揺動動作を行う。なお、ソレノイドに代えてモータとすることもできる。分岐爪２４１は図示反時計回り方向に駆動され、回転したとき、分岐路２４１の搬送面にシートあるいはシート束を押圧することが可能である。これにより分岐爪２４１はシートあるいはシート束を分岐路２４１で固定することができる。
【００１６】
　
排紙ローラ２０５は
シートの搬送、シフト、排出を行う機能を有
ウ．「【００２０】
　シート端検知センサ２２０はシートの側端を検出するセンサで、シートを揃えるときに、このセンサ検知位置を基準に揃える。綴じ具ホームポジションセンサ２２１はシート幅方向に移動可能な綴じ具の位置を検出するセンサで、
最大サイズのシートが搬送されても邪魔にならない位置に綴じ具２１０が位置するポジションをホームポジションとし、
【００２１】
　
搬送路２４０は受け入れたシートを搬送し、排出する搬送経路であって、
分岐路２４１はシートのスイッチバックにより後端側から搬入される搬送路であり、
シートを重ね合わせて整合するために設けられ、集積手段として機能
エ．「【００２８】
　図８ないし図１６はシート後処理装置２０１の綴じ具２１０によるオンライン綴じの綴じ動作を示す動作説明図である。なお、各図において（ａ）は平面図、（ｂ）は正面図である。また、本実施形態で
オンライン綴じ
は、
画像形成装置１０１で画像形成されたシートをシート後処理装置２０１に連続的に受け入れて整合し、綴じ処理を行う
マニュアル綴じ
は、画像形成装置２０１若しくは別途印字出力されたシートをシート後処理装置２０１の綴じ具２１０で綴じるものであ
【００２９】
　図８はオンライン綴じ動作のイニシャル動作完了時の状態を示す図である。
画像形成装置１０１から画像形成されたシートの出力が開始されると、各部はホームポジションに移動し、
【００３０】
　図９は画像形成装置１０１から１枚目のシートＰ１が排紙され、シート後処理装置２０１に搬入された直後の状態を示す図である。画像形成装置１０１から
シートＰ１が後処理装置２０１に搬入される前に、シート後処理装置２０１のＣＰＵ２０１ａは画像形成装置１０１のＣＰＵから用紙処理の制御モードに関するモード情報とシート情報を受け取り、その情報に基づき、受け入れ待機状態にな
【００３１】
　
制御モードには、ストレートモード、シフトモード及び綴じモードの３つのモードが設定され
ストレートモード
は、
シートＰ１，・・・，Ｐｎが順次搬送され、排出され
【００３２】
　
シフトモード
は、
一部（一冊）分のシート束ＰＢが一方にシフトした状態で排紙され、積層され
排出され
【００３３】
　
綴じモード
は、
【００３４】
　図１０はシート後端が入口ローラ２０３のニップから離脱して分岐路２４１を超えたときの状態を示す図である。シートＰ１は、シート後端の入口センサ２０２による検知情報から搬送量がカウントされ、シート搬送位置の位置情報はＣＰＵ２０１ａによって把握されている。シート後端が入口ローラ２０３のニップを通過したら、入口ローラ２０３は次のシートＰ２の受け入れのために回転を停止する。それと同じタイミングでシフトカム２０７が図１０の矢印Ｒ４方向（図示時計回り方向）に回転し、シートＰ１をニップした状態で排紙ローラ２０５は軸方向に移動を開始する。これによりシートＰ１は図１０において矢印Ｄ１方向に斜行しながら搬送される。その後、綴じ具２１０に併設又は組み込まれたシート端検知センサ２２０がシートＰを検知すると、シフトカム２０７は停止し、次いで逆転し、シート端検知センサ２２０がシートＰの非検知状態でシフトカム２０７は停止する。そして、前記動作が完了し、シート後端が分岐爪２０４先端を通過した所定の位置で排紙ローラ２０５は停止する。
【００３５】
　図１１はシートＰ１をスイッチバックしてシートＰ１の搬送方向を整合するときの状態を示す図である。図１０の状態から分岐爪２０４を図示矢印Ｒ５方向に回転させ、搬送経路を分岐路２４１に切り換えた後、排紙ローラ２５０を逆回転させる。これによりシートＰ１は矢印Ｄ２方向にスイッチバックされ、シート後端が分岐路２４１に搬入され、さらに、突き当て面２４２に突き当てられる。このシート後端の突き当てによりシート後端は突き当て面２４２を基準に揃えられる。シートＰ１が揃えられると、排紙ローラ２０５は停止する。このとき、排紙ローラ２０５はシートＰ１が突き当て面２４２に突き当たるとスリップし、搬送力が付与されないようになっている。すなわち、シートＰ１がスイッチバックして突き当て面２４２に突き当たり、シート後端が突き当て面２４２を基準に揃えられると、それ以上、搬送されてシートが座屈しないように設定されている。
【００３６】
　図１２は分岐路２４１に１枚目のシートＰ１を待機させ、次の２枚目のシートＰ２を搬入するときの状態を示す図である。先行の１枚目のシートＰ１が突き当て面２４２を基準に揃えられた後、分岐爪２０４を図示矢印Ｒ６方向に回転させる。これにより分岐路２４１に位置しているシート後端を分岐爪２０４の下面である接触面２０４ｃが分岐路２４１の表面に強力に押さえ付け、動かない状態にして待機する。後行の２枚目のシートＰ２が画像形成装置１０１から搬入されてくると、先行のシートＰ１と同様に入口ローラ２０３でスキュー補正を行う。次いで、入口ローラ２０３の回転が開始するのと同時に排紙ローラ２０５も搬送方向に回転を開始する。
【００３７】
　図１３は２枚目のシートＰ２が搬入されてきたときの状態を示す図である。図１２の状態から２枚目のシートＰ２、さらに３枚目以降のシートＰ３，・・・，Ｐｎが搬送されてきたときも、図１０及び図１１に示した動作を実行し、順次、
画像形成装置１０１から搬送されてくるシートを予め設定した位置に移動させて重ね合わせ、整合状態のシート束ＰＢを搬送路２４０内に
集積
【００３８】
　図１４は最終紙Ｐｎを整合してシート束ＰＢを形成したときの状態を示す図である。最終紙Ｐｎを整合状態のシート束ＰＢとして動作完了したら、排紙ローラ２０４を一定量搬送方向に回転させ停止する。この動作でシート後端を突き当て面２４２に突き当てたときに発生した撓みを解消させる。その後、分岐爪２０４を図示矢印Ｒ５方向に回転させ、接触面２０４ｃを分岐路２４１から離間させることによりシート束ＰＢへの加圧力を開放する。これによりシート束ＰＢは分岐爪２０４による拘束力が解除され、排紙ローラ２０５による搬送が可能となる。
【００３９】
　図１５は綴じ動作時の状態を示す図である。図１４の状態から排紙ローラ２０５を搬送方向に回転させ、綴じ具２１０の歯型２６１の位置とシート束ＰＢの綴じ位置が一致する距離分シート束ＰＢを搬送し、その位置で停止させる。これによりシート束ＰＢの搬送方向の加工位置が歯型２６１の搬送方向の位置と合致する。
そして、綴じ具２１０を綴じ具２１０の歯型２６１の位置とシートの加工位置が一致する距離分だけ
移動させ、停止
圧着綴じを行
【００４０】
　図１６は
シート束ＰＢを排紙
【００４１】　　
　図１７及び図１８は綴じ具の移動範囲を示す説明図である。図１７は綴じ具２１０がホームポジションに位置し、図１８はマニュアル操作で綴じる綴じ位置に位置した状態をそれぞれ示す。図１８の位置が本実施例で言うマニュアル綴じが実行できる位置である。マニュアル綴じは、画像形成装置１０１から連続してシート処理を行うわけではないので、オフライン綴じである。そのため、綴じるシートは利用者が任意に選択し、あるは異なるロットのシート若しくはシート束を重ね、まとめて綴じることもできる。」
オ．「【００４７】
　
マニュアル綴じモード
綴じ具２１０は
ホームポジションから
マニュアル綴じモードの位置
移動
利用者は、綴じ処理を実施したいシート束ＰＢの綴じ位置を
開口部２７１へ差し込
この差し込み動作に応じて、
綴じ具２１０が駆動され、綴じ処理が行われる
カ．【図１４】
キ．【図１８】
ク．図１４及び図１８をみると、「綴じ具２１０がマニュアル操作で綴じる位置」（図１８において綴じ具２１０が位置している位置。上記段落【００４１】参照。）は、画像形成装置１０１から搬送されてくるシートを予め設定した位置に移動させて重ね合わせたシート束ＰＢを形成した位置より、前記移動させる方向と直交する方向において外側であって、ホームポジション（図１４、１８において「綴じ具ホームポジションセンサ２２１」がある位置。）の反対側にある」といえる。
ケ．上記「【００２９】図８はオンライン綴じ動作のイニシャル動作完了時の状態を示す図である。画像形成装置１０１から画像形成されたシートの出力が開始されると、各部はホームポジションに移動し、」の「各部」には、「綴じ具２１０」が含まれると解される。
　前記の記載を総合すると、引用文献１には、次の発明（以下「引用発明１」という。）が開示されていると認められる。
「シート後処理装置２０１は、シート搬送路２４０に沿って入口側から入口センサ２０２、入口ローラ２０３、分岐爪２０４、綴じ具２１０及び排紙ローラ２０５を備え、入口ローラ２０３は、画像形成装置１０１の排紙ローラ１０２によって排紙されるシートを受け取り、ステープル装置２０２内に搬入し、排紙ローラ２０５は、シートの搬送、シフト、排出を行う機能を有するものであり、
　搬送路２４０は受け入れたシートを搬送し、排出する搬送経路であり、
　分岐路２４１は搬送２４０から分岐したシートのスイッチバックにより後端側から搬入される搬送路であり、シートを重ね合わせて整合するために設けられた集積手段として機能するものであり、
　綴じ処理として、オンライン綴じとマニュアル綴じが実行されるものであり、オンライン綴じは、画像形成装置１０１で画像形成されたシートをシート後処理装置２０１に連続的に受け入れて整合し、綴じ処理を行うものであり、マニュアル綴じは、画像形成装置２０１若しくは別途印字出力されたシートをシート後処理装置２０１の綴じ具２１０で綴じるものであり、
　綴じ具２１０が位置するホームポジションは、最大サイズのシートが搬送されても邪魔にならない位置であり、                     
　画像形成装置１０１から画像形成されたシートの出力が開始されると、綴じ具２１０は、ホームポジションに移動し、シートＰ１が後処理装置２０１に搬入される前に、シート後処理装置２０１のＣＰＵ２０１ａは画像形成装置１０１のＣＰＵから用紙処理の制御モードに関するモード情報とシート情報を受け取り、受け入れ待機状態になり、制御モードには、ストレートモード、シフトモード及び綴じモードの３つのモードが設定され、　
　ストレートモードは、シートＰ１，・・・，Ｐｎが順次搬送され、排出されるものであり、シフトモードは、一部（一冊）分のシート束ＰＢが一方にシフトした状態で排紙され、積層され、排出されるものであり、綴じモードは、画像形成装置１０１から搬送されてくるシートを予め設定した位置に移動させて重ね合わせ、整合状態のシート束ＰＢを搬送路２４０内に集積し、綴じ具２１０を綴じ具２１０の歯型２６１の位置とシートの加工位置が一致する距離分だけ移動させ、停止して圧着綴じを行ったシート束ＰＢを排紙するものであり、マニュアル綴じモードは、綴じ具２１０を、ホームポジションからマニュアル綴じモードの位置に移動し、利用者は、綴じ処理を実施したいシート束ＰＢの綴じ位置を開口部２７１へ差し込み、この差し込み動作に応じて綴じ具２１０が駆動され、綴じ処理が行われるものであり、綴じ具２１０がマニュアル操作で綴じる綴じ位置は、画像形成装置１０１から搬送されてくるシートを予め設定した位置に移動させて重ね合わせたシート束ＰＢを形成した位置より、前記移動させる方向と直交する方向において外側であって、ホームポジションの反対側にあるシート処理装置。」
（２）原査定に引用された特表２００８−５１２３３０号公報（以下「引用文献２」という。）には、以下の事項が記載されている。
ア．「【０００１】
　本発明は、
プリンターやコピー機などの画像形成装置から排出された用紙をホチキス留めして後処理するマルチステープル装置
イ．「【００４０】
　
用紙（８０）は、搬送ローラ（７２）によって
供給され、コンパイルトレイ（７０）上に積み重ねられ
【００４１】
　
コンパイルトレイ（７０）の上に積み重ねられた用紙をマルチステープルするために、ステープラ（７５）
移動
【００４２】
　図６乃至図９に示すように、
用紙（８０）は、ステープラ（７５）の位置に従って、ホチキス留め
【００４３】
　図６は、
ステープラ（７５）のホームポジション（９４）において、用紙（８０）が手動でホチキス留めされる
　前記の記載を総合すると、引用文献２には、次の技術（以下「引用文献２記載の技術」という。）が開示されていると認められる。
「プリンターやコピー機などの画像形成装置から排出された用紙をホチキス留めして後処理するマルチステープル装置において、用紙（８０）は、搬送ローラ（７２）によって供給され、コンパイルトレイ（７０）上に積み重ねられ、コンパイルトレイ（７０）の上に積み重ねられた用紙をマルチステープルするために、ステープラ（７５）が移動し、用紙（８０）は、ステープラ（７５）の位置に従って、ホチキス留めされ、ステープラ（７５）のホームポジション（９４）において、用紙（８０）が手動でホチキス留めされるマルチステープル装置。」
　
４．対比　
　　
本願発明と引用発明１とを対比する。
（１）引用発明１の「シート後処理装置２０１」は本願発明の「シート処理装置」に相当し、以下同様に、「入口ローラ２０３」及び「排紙ローラ２０５」は「シートを搬送する搬送手段」に、「綴じ具２１０」は「綴じ手段」に、「シート」は「シート」に、「シート束ＰＢ」は「シート束」に、「ＣＰＵ２０１ａ」は「制御手段」にそれぞれ相当する。
　
（２）引用発明１の「シート後処理装置２０１」は、「綴じモード」及び「マニュアル綴じモード」において、「シート束ＰＢ」を綴じるものであるから、本願発明の「シート束を綴じるシート処理装置」に相当する。
　
（３）引用発明１の「分岐路２４１は搬送路２４０から分岐したシートのスイッチバックにより後端側から搬入される搬送路であり、シートを重ね合わせて整合するために設けられた集積手段として機能」するから、引用発明１の「分岐路２４１」は、本願発明の「集積手段」に相当する。
　　
（４）引用発明１は、「入口ローラ２０３は、シート後処理装置２０１の入口に位置し、画像形成装置１０１の排紙ローラ１０２によって排紙されるシートを受け取り、ステープル装置２０２内に搬入し、「搬送路２４０は受け入れたシートを搬送し、排出する搬送経路であって、分岐路２４１」はシートのスイッチバックにより後端側から搬入される搬送路」であり、上記「入口ローラ２０３」、「分岐路２４１」それぞれは、本願発明の「搬送手段」、「集積手段」に相当する（それぞれ上記（１）、（３）参照。」）から、引用発明１と本願発明は、「搬送手段により搬送方向に搬送されたシートを集積する」ものであることで一致する。
（５）引用発明１の「マニュアル綴じモード」において、「利用者は、綴じ処理を実施したいシート束ＰＢの綴じ位置を開口部２７１へ差し込み、この差し込み動作に応じて綴じ具２１０が駆動され、綴じ処理が行われる」から、上記「利用者」によって「開口部２７１へ差し込」まれる「シート束ＰＢ」は、本願発明の「装置の外部からのシート束」に相当し、引用発明１の上記「開口部２７１」は、本願発明のシート束がセットされる「手差し部」に相当する。
（６）引用発明１は、「綴じモード」においては、「画像形成装置１０１から搬送されてくるシートを予め設定した位置に移動させて重ね合わせ、整合状態のシート束ＰＢを搬送路２４０内に集積し」、「綴じ具２１０を綴じ具２１０の歯型２６１の位置とシートの加工位置が一致する距離分だけ移動させ、停止して圧着綴じを行」うものであり、上記「綴じ具２１０を」「一致する距離分だけ移動させ、停止して圧着綴じを行」う位置は、本願発明の「集積手段に集積されたシート束を綴じる第一の位置」に相当する。
　引用発明１の「綴じ具２１０がマニュアル操作で綴じる綴じ位置」は、本願発明の「手差し部にセットされたシート束を綴じる第二の位置」に相当する。
　また、引用発明１において、「綴じ具２１０」が、「圧着綴じを行」う位置と「マニュアル操作で綴じる綴じ位置」は、異なる位置であるから、「綴じ具２１０」は、上記両位置の間を移動するものである。
　よって、本願発明１と引用発明１は、集積手段に集積されたシート束を綴じる第一の位置と、前記手差し部にセットされたシート束を綴じる第二の位置と、に移動可能に構成される綴じ手段を備えることで一致する。
（７）引用発明１は、「画像形成装置１０１から画像形成されたシートの出力が開始されると、」「シートＰ１が後処理装置２０１に搬入される前に、」「シート後処理装置２０１のＣＰＵ２０１ａは画像形成装置１０１のＣＰＵから用紙処理の制御モードに関するモード情報」「を受け取り、」「制御モードには、ストレートモード、シフトモード及び綴じモードの３つのモードが設定され」るものであるから、前記「ストレートモード」、「シフトモード」、「綴じモード」は、本願発明の「搬送手段によりシートを搬送する前記第１モード」に相当する。
（８）引用発明１において、「マニュアル綴じモード」は、「利用者は、綴じ処理を実施したいシート束ＰＢの綴じ位置を開口部２７１へ差し込み、この差し込み動作に応じて綴じ具２１０が駆動され、綴じ処理が行われる」ものであり、上記（５）の検討のとおり、引用文献１の「開口部２７１」は、本願発明の「手差し部」に相当するから、引用発明１の上記「マニュアル綴じモード」は、本願発明の「手差し部にセットされたシート束を前記綴じ手段により綴じさせる第２モード」に相当する。
（９）引用発明１は、「綴じ具２１０がマニュアル操作で綴じる綴じ位置は、画像形成装置１０１から搬送されてくるシートを予め設定した位置に移動させて重ね合わせたシート束ＰＢを形成した位置より、前記移動させる方向と直交する方向において外側にあ」るものであり、上記「マニュアル操作で綴じる綴じ位置」は本願発明１の「第二の位置」に相当し、上記「画像形成装置１０１から搬送されてくるシートを予め設定した位置に移動させて重ね合わせたシート束ＰＢを形成した位置」は本願発明の「第１モードにおいて前記集積手段にシートが搬入される際の搬入エリア」に相当するから、本願発明と引用発明１は「前記第二の位置は、前記搬送方向と直交する方向に関して、第１モードにおいて前記集積手段にシートが搬入される際の搬入エリアの外側に設定され」る点で一致する。
（１０）上記（７）で検討したとおり、引用発明１の「ストレートモード」及び「シフトモード」は、本願発明の「搬送手段によりシートを搬送する前記第１モード」に相当し、上記「ストレートモード」、「シフトモード」は「シートを綴じるモード」ではない。
　よって、引用発明１の「ストレートモード」及び「シフトモード」は、本願発明の「第１モードを実行する場合で且つ前記綴じ手段により綴じ処理を実行させない場合」に相当する。
（１１）引用発明１は、「画像形成装置１０１から画像形成されたシートの出力が開始されると、綴じ具２１０は、ホームポジションに移動」するものであり、上記（１０）で検討したとおり「シートを綴じるモード」ではない「ストレートモード」及び「シフトモード」の場合、「綴じ具２１０」は「最大サイズのシートが搬送されても邪魔にならない位置」である「ホームポジション」に位置したままであると解される。
　また引用発明１の「ホームポジション」とは「最大サイズのシートが搬送されても邪魔にならない位置に綴じ具２１０が位置するポジション」であるので、本願発明の「搬入エリアの外側」に相当する。
　よって、本願発明と引用発明１は、「第１モードを実行する場合で且つ前記綴じ手段により綴じ処理を実行させない場合、前記綴じ手段を、前記搬入エリアの外側に位置させる」点で一致する。
　以上のことより、両者は、　
  
〈一致点〉
「シート束を綴じるシート処理装置であって、
　シートを搬送する搬送手段と、
　前記搬送手段により搬送方向に搬送されたシートを集積する集積手段と、
　前記装置の外部からのシート束がセットされる手差し部と、
　前記集積手段に集積されたシート束を綴じる第一の位置と、前記手差し部にセットされたシート束を綴じる第二の位置と、に移動可能に構成される綴じ手段と、
　制御手段と、
を有し、
　前記第二の位置は、前記搬送方向と直交する方向に関して、第１モードにおいて前記集積手段にシートが搬入される際の搬入エリアの外側に設定され、
　前記制御手段は、前記搬送手段によりシートを搬送する前記第１モードと、前記手差し部にセットされたシート束を前記綴じ手段により綴じさせる第２モードと、を実行可能であって、前記第１モードを実行する場合で且つ前記綴じ手段により綴じ処理を実行させない場合、前記綴じ手段を、前記搬入エリアの外側に位置させることを特徴とするシート処理装置。」
　である点で一致し、以下の点で相違している。
＜相違点＞
相違点：本願発明の「前記第１モードを実行する場合で且つ前記綴じ手段により綴じ処理を実行させない場合」に「綴じ手段」を位置させる位置が「第二の位置側」であり、「第二の位置」とは、「手差し部にセットされたシート束を綴じる」位置のことであるのに対して、引用発明１において「ストレートモード」及び「シフトモード」（本願発明の「第１モードを実行する場合で且つ前記綴じ手段により綴じ処理を実行させない場合」に相当。上記（１０）参照。）の場合は、「ホームポジション」に位置していると解され（上記（１１）参照。）、「ホームポジション」とは、「綴じ具２１０がマニュアル操作で綴じる綴じ位置」「の反対側にある」点で相違している。
５．判断
　相違点について検討する。
　引用発明１において、「ストレートモード」及び「シフトモード」（本願発明の「第１モードを実行する場合で且つ前記綴じ手段により綴じ処理を実行させない」）の場合に「綴じ手段」をシートの搬入エリアの外側にさえ位置させれば、綴じ手段がシートの搬入に邪魔になることはなく、その際に搬入エリアの外側の一方側か他方側のいずれかに綴じ手段を位置させるかを設定することは、それぞれの得失を勘案したうえで二者択一をする程度のことであり、引用発明１において、当業者が上記得失の勘案の結果、「ストレートモード」及び「シフトモード」（本願発明の「第１モードを実行する場合で且つ前記綴じ手段により綴じ処理を実行させない」）の場合に「綴じ手段」を綴じ具２１０がマニュアル操作で綴じる綴じ位置の反対側においていたのを、綴じ具２１０がマニュアル操作で綴じる綴じ位置側に変更することは格別困難なことではないし、上記引用文献２記載の技術において「ステープラ（７５）（本願発明の「綴じ手段」に相当）のホームポジション（９４）において、用紙（８０）が手動でホチキス留めされる」のように「用紙（８０）が手動でホチキス留めされる」位置とホームポジションが同じである技術も存在する。
　本願出願人は平成２９年６月９日提出の意見書において「このうち、本発明に係るシート処理装置の特に主要な構成は、「制御手段」が、「前記搬送手段によりシートを搬送する前記第１モードと、前記手差し部にセットされたシート束を前記綴じ手段により綴じさせる第２モードと、を実行可能であって、前記第１モードを実行する場合で且つ前記綴じ手段により綴じ処理を実行させない場合、前記綴じ手段を、前記搬入エリアの外側であって、前記第二の位置側に位置させる」点にあります。
　これにより、本発明は、手差し部にセットされたシート束を綴じる処理を迅速に行うことができるという特有の効果を奏します。」と主張しているが、引用発明１においても、「綴じ具２１０がマニュアル操作で綴じる綴じ位置」と「ホームポジション」の位置を搬入エリアの外側の同じ側に設定すれば、上記両位置の距離か短縮され、上記両位置間の「綴じ具２１０」の移動を迅速にする効果を奏するであろうとの予想をし、上記のように、「ストレートモード」及び「シフトモード」（本願発明の「第１モードを実行する場合で且つ前記綴じ手段により綴じ処理を実行させない」）の場合に「綴じ手段」を綴じ具２１０がマニュアル操作の綴じ位置の反対側においていたのを、綴じ具２１０がマニュアル操作の綴じ位置側に変更することは当業者にとって格別困難なことではない。
　
　したがって、本願発明は、引用発明１、引用文献２記載の技術に基づいて、当業者が容易に発明をすることができたものである。
６　むすび
　以上のとおり、本願発明は、引用発明１、引用文献２記載の技術に基づいて、当業者が容易に発明をすることができたものであり、特許法第２９条第２項の規定により特許を受けることができない。
　したがって、本願は、他の請求項について検討するまでもなく、拒絶されるべきものである。